(57)【要約】【課題】フロートの大型化や集塵機の重量化を招くことなく、フロートの不安定な動作を解消し、タンクの設定容量までの水等の確実な吸引を可能とする。【解決手段】集塵機１において、吸気ユニット４の下部に設けられる吸気口２０を、吸気ユニット４から下方へ突出させて横向きに開口形成する一方、フロート２３の上部に、上限位置で吸気口２０を閉塞する閉塞部２７を形成した。これにより、フロート２３が上限位置に到達する前に吸気口２０を閉塞することがなく、タンク２内に設定容量まで確実に水の吸引が可能となる。【選択図】図１
2010099326.tif 000002
【特許請求の範囲】
【請求項１】
吸込口を備えたタンクの上方を本体で閉塞し、前記本体に、モータ駆動する吸込ファンを内蔵して下面に設けた吸気口をタンク内に開口させる吸気ユニットを設けて、前記吸込ファンの回転により、前記吸込口から水等の液体を吸引して前記タンク内に貯留可能とすると共に、前記吸気口の下方に、前記タンク内に貯留した液体の水位の上昇に伴って上昇し、上限位置で前記吸気口を閉塞して液体の吸引を停止させるフロートを設けた集塵機であって、
前記吸気口を、前記吸気ユニットから下方へ突出させて横向きに開口形成する一方、前記フロートの上部に、前記上限位置で前記吸気口を閉塞する閉塞部を形成したことを特徴とする集塵機。
【請求項２】
前記フロートを、前記上限位置で前記吸気口を上部に収容して前記吸気ユニットの下面に当接する筒状体として、前記フロートの内部に、前記上限位置で前記吸気口の下面に当接して前記フロート内を仕切る受け壁を設けて、前記受け壁の上方を前記閉塞部としたことを特徴とする請求項１に記載の集塵機。
【請求項３】
前記受け壁における前記吸気口の下面との当接位置よりも前記フロートの中心側に、前記受け壁を貫通する排出口を形成したことを特徴とする請求項２に記載の集塵機。
【発明の詳細な説明】
【技術分野】
【０００１】
本発明は、塵埃は勿論、塵埃を含む水等の液体も吸引可能な集塵機に関する。
【背景技術】
【０００２】
図３は、従来の集塵機の縦断面図で、集塵機１は、上面を開口したタンク２の上方に、吸気ユニット４を内蔵した本体３を設けてなる。吸気ユニット４は、タンク２の開口を閉塞して本体３を支持するタンクカバー５によって、タンク２の中央上方から吊り下げ支持されており、内部に、モータ７と、そのモータ７の駆動で回転する吸込ファン８とを内蔵している。また、タンクカバー５には、吸込ファン８の真下で吸気ユニット４の下面に開口する吸気口９，９・・が形成されている。６は、本体３の上部を覆うカウリングで、側面には運転スイッチ１０が設けられている。１１は、タンク２の側面に設けられてホースやノズル等を接続する吸込口である。
さらに、吸気ユニット４の下方には、フロート１３を上下動可能に収容したフロートケージ１２が連結されている。このフロート１３は、タンク２内に貯留する水等の液体の水位に合わせて上下動し、上限位置では、フロート１３の上面が吸気口９の周囲で下向きに突設された筒部に当接して吸気口９を閉塞するようになっている。
【０００３】
よって、運転スイッチ１０のＯＮ操作でモータ７が駆動して吸込ファン８が回転すると、吸込口１１に接続したホース等を介して外気がタンク２内に吸引され、吸気口９を通って吸込ファン８によりカウリング６内の送気路１４へ送られ、カウリング６下面の排気口１５から排出されるものとなる。ここで、タンク２内に水を吸引すると、フロート１３がタンク２内に貯留した水位の上昇に伴って上昇し、上限位置で吸気口９を閉塞して水の吸引を停止させることになる。１６は、タンクカバー５とタンク２の開口との間に挟持されて、吸込口１１と吸気ユニット４との間を袋形状で遮断する布製のフィルタで、吸込口１１から吸込まれる空気や水をここで濾過できるようになっている（その他、フロートを有する集塵機の例として特許文献１）。
【０００４】
【特許文献１】特公昭６１−５７７６３号公報
【発明の開示】
【発明が解決しようとする課題】
【０００５】
上記従来の集塵機１においては、吸気ユニット４の吸気口９が真下に向かって開口しているため、集塵の際にはフロート１３を吸い上げようとする上向きの力が常に働くことになる。従って、水等を吸引する際、水位の上昇に連れて上昇したフロート１３が吸気口９に近づくと、フロート１３が上限位置に到達する前に吸い上げられて吸気口９を閉塞してしまい、タンク２の設定容量分だけ吸引できないことがあった。かといって、吸い上げに負けない重量や大きさを有するフロートを用いると、フロートの大型化や集塵機自体の重量化に繋がってしまう。
【０００６】
そこで、本発明は、フロートの大型化や集塵機の重量化を招くことなく、フロートの不安定な動作を解消し、タンクの設定容量まで水等の確実な吸引を可能とする集塵機を提供することを目的としたものである。
【課題を解決するための手段】
【０００７】
上記目的を達成するために、請求項１に記載の発明は、吸気口を、吸気ユニットから下方へ突出させて横向きに開口形成する一方、フロートの上部に、上限位置で吸気口を閉塞する閉塞部を形成したことを特徴とするものである。
請求項２に記載の発明は、請求項１の構成において、閉塞部を簡単に形成するために、フロートを、上限位置で吸気口を上部に収容して吸気ユニットの下面に当接する筒状体として、フロートの内部に、上限位置で吸気口の下面に当接してフロート内を仕切る受け壁を設けて、受け壁の上方を閉塞部としたことを特徴とするものである。
請求項３に記載の発明は、請求項２の構成において、受け壁における吸気口の下面との当接位置よりもフロートの中心側に、受け壁を貫通する排出口を形成したことを特徴とするものである。
【発明の効果】
【０００８】
請求項１に記載の発明によれば、吸気口を横向きにしてフロートを吸い上げる力が働かないようにしたので、フロートが上限位置に到達する前に吸気口を閉塞することがなく、タンク内に設定容量まで確実に水等の吸引が可能となる。而も、フロートに閉塞部を形成する簡単な形状変更で不安定な動作を解消できるため、フロートの大型化や集塵機の重量化を招くこともない。
請求項２に記載の発明によれば、請求項１の効果に加えて、筒状体のフロートを合理的に利用して閉塞部を簡単に形成することができる。
請求項３に記載の発明によれば、請求項２の効果に加えて、受け壁への排出口の採用により、閉塞部内に水等が溜まるおそれがなくなり、フロートの上限位置での閉塞部のシール性も好適に維持される。
【発明を実施するための最良の形態】
【０００９】
以下、本発明の実施の形態を図面に基づいて説明する。
図１は、集塵機の一例を示す縦断面図であるが、ここに示す集塵機も、タンクや本体等の基本的な機構は図３で示した従来の集塵機と同様であるので、同じ構成部には同じ符号を付して重複する説明は省略し、異なる構成部を主に説明する。
【００１０】
この集塵機１では、吸気ユニット４の下面に形成される吸気口２０が、下向きに開口せず、吸気ユニット４のハウジングとなる有底筒状のタンクカバー５の下面よりも下方へ突出して横向きに開口している点がまず異なる。具体的には、平面視円形で円錐状の下板２１を仕切板２２を介してタンクカバー５に連結することで、横向きの吸気口２０が下方へ突設される。これにより、吸込口１１からタンク２内に吸い込まれる空気は、矢印で示すように、タンク２の中心に位置する吸気口２０に向けて水平に若しくはやや下方から吸気口２０に吸い込まれることになる。
【００１１】
また、フロートケージ１３内のフロート２３も、ここでは上限位置でタンクカバー５の下面に当接して吸気口２０を上部に収容する筒状体となっており、その内部に、上限位置で下板２１の下面に当接してフロート２３内を仕切る受け壁２４を設けている。一方、タンクカバー５におけるフロート２３との当接位置と、受け壁２４における下板２１との当接位置とには、当接する部材間をシールするリング状のシール部材２５，２６が夫々貼着されている。これにより、フロート２３内で受け壁２４の上部には、上限位置で吸気口２０がシール状態で完全収容される閉塞部２７が形成されることになる。
【００１２】
さらに、受け壁２４における下板２１との当接位置よりもフロート２３の中心側は、中心へ向けて緩やかに下り傾斜するすり鉢状に形成されて、受け壁２４の中心には、下方へ向かって垂下し、受け壁２４を貫通して閉塞部２７を下方へ連通させる筒状の排出口２８が形成されている。
【００１３】
以上の如く構成された集塵機１においては、カウリング６の側面に設けた運転スイッチ１０をＯＮ操作してモータ７を駆動させると、吸込ファン８が回転し、吸込口１１から空気が吸い込まれる。タンク２内に吸込まれた空気は、フィルタ１６を通って横向きの吸気口２０に入り、吸込ファン８によりカウリング６内の送気路１４へ送られて、排気口１５から排出される。この空気の流れにより、吸込口１１から吸込まれる空気がフィルタ１６で濾過され、塵埃等がタンク２内に貯留される。
一方、吸込口１１に接続した図示しないホースによって例えば水を吸い込んだ場合、タンク２内に水が貯留されることになるが、水位が上昇すると、フロートケージ１２内のフロート２３もそれに応じて上昇する。このとき、吸気口２０では空気が横向きに吸い込まれるため、フロート２３に吸い上げる力が働くことがない。
【００１４】
そして、フロート２３が上限位置に到達すると、前述のようにフロート２３の上端がタンクカバー５の下面に当接すると共に、受け壁２４が下板２１の下面に当接して、吸気口２０がフロート２３の閉塞部２７内に完全収容される。この状態で、フロート２３の上端とタンクカバー５の下面との間がシール部材２５により、受け壁２４の上面と下板２１の下面との間がシール部材２６により夫々シールされるため、吸気口２０が密閉されて吸気ユニット４への空気の流入が停止する。よって、それ以上の水の吸引が阻止される。
【００１５】
なお、水の吸引の際に、タンク２内での飛散や吸気口２０からの落下等によってフロート２３の閉塞部２７内に水が進入することがあっても、そのまま受け壁２４の傾斜によって中央の排出口２８へ誘導されてタンク２内へ戻される。よって、フロート２３の上限位置での閉塞部２７のシール性を低下させたり、吸気口２０に水が進入したりするおそれがない。
【００１６】
このように、上記形態の集塵機１によれば、吸気口２０を、吸気ユニット４から下方へ突出させて横向きに開口形成する一方、フロート２３の上部に、上限位置で吸気口２０を閉塞する閉塞部２７を形成したことで、フロート２３が上限位置に到達する前に吸気口２０を閉塞することがなく、タンク２内に設定容量まで確実に水の吸引が可能となる。而も、フロート２３に閉塞部２７を形成する簡単な形状変更で不安定な動作を解消できるため、フロート２３の大型化や集塵機１自体の重量化を招くこともない。
【００１７】
特にここでは、フロート２３を、上限位置で吸気口２０を上部に収容して吸気ユニット４の下面に当接する筒状体として、フロート２３の内部に、上限位置で下板２１の下面に当接してフロート２３内を仕切る受け壁２４を設けて、受け壁２４の上方を閉塞部２７としたことで、筒状体のフロート２３を合理的に利用して閉塞部２７を簡単に形成することができる。
また、受け壁２４における下板２１の下面との当接位置よりもフロート２３の中心側に、受け壁２４を貫通する排出口２８を形成したことで、閉塞部２７内に水や塵埃が溜まるおそれがなくなり、フロート２３の上限位置での閉塞部２７のシール性も好適に維持される。
【００１８】
なお、上記形態では、タンクカバーの下面とフロートとの間のシール部材をタンクカバー側に、吸気口の下面とフロートの受け壁との間のシール部材を受け壁側に設けているが、夫々逆側に設けるようにしてもよい。また、シール部材は必ずしも必要ではなく、例えばタンクカバーの下面に、上限位置でフロート部の上端が嵌合するリング溝を凹設する等してシール性が確保できれば、シール部材は省略して差し支えない。
また、吸気口も、横向きに開口形成されるものであれば数や具体的な形態は適宜変更可能で、フロートの閉塞部も、吸気口の形状によってはフロートの上端へ壁体を部分的に立設して吸気口を閉塞するようにしてもよい。
さらに、排出口も、複数設けてよいし、筒状体に限らず単純な透孔としてもよい。勿論省略することも可能である。
【図面の簡単な説明】
【００１９】
【図１】集塵機の縦断面図である（フロートは下限位置）。
【図２】集塵機の縦断面図である（フロートは上限位置）。
【図３】従来の集塵機の縦断面図である。
【符号の説明】
【００２０】
１・・集塵機、２・・タンク、３・・本体、４・・吸気ユニット、５・・タンクカバー、７・・モータ、８・・吸込ファン、９・・吸気口、１１・・吸込口、２０・・吸気口、２１・・下板、２３・・フロート、２４・・受け壁、２５，２６・・シール部材、２７・・閉塞部、２８・・排出口。
【図１】
2010099326.tif 000003
【図２】
2010099326.tif 000004
【図３】
2010099326.tif 000005